(57)【要約】【課題】施錠する際、錠本体を任意の方向で帯体と接続して施錠することができるダイヤルロック式錠前を提供する。【解決手段】ダイヤルロック式錠前は、錠本体１及び帯体２を備える。錠本体１は、帯体２の第１の端部に枢着された第１の端部と、シリンダ１１が設けられた第２の端部とを有する。挟持セクションの外側には、挟持セクションより大きな直径を有する係止セクション１１３が設けられている。帯体２は、錠本体１の第１の端部に枢着された第１の端部と、錠本体１のシリンダ１１に対応する外嵌部２２が設けられた第２の端部とを有する。外嵌部２２は、シリンダ１１の挿入係合セクションに対応して設けられた隙間２２１を外縁に有し、シリンダ１１の挟持セクションに対応し、隙間２２１と連通する挟持孔２２２が内側に設けられている。【選択図】図１
0003174046.tif 000002
【実用新案登録請求の範囲】
【請求項１】
錠本体及び帯体を備えたダイヤルロック式錠前であって、
前記錠本体は、前記帯体の第１の端部に枢着された第１の端部と、シリンダが設けられた第２の端部と、を有し、前記シリンダの最も内側には、挿入係合セクションが設けられ、前記挿入係合セクションの外側には、前記挿入係合セクションより大きな直径を有する挟持セクションが設けられ、前記挟持セクションの外側には、前記挟持セクションより大きな直径を有する係止セクションが設けられ、
前記帯体は、前記錠本体の前記第１の端部に枢着された第１の端部と、前記錠本体の前記シリンダに対応する外嵌部が設けられた第２の端部と、を有し、前記外嵌部は、前記シリンダの前記挿入係合セクションに対応して設けられた隙間を外縁に有し、前記シリンダの前記挟持セクションに対応し、前記隙間と連通する挟持孔が内側に設けられていることを特徴とするダイヤルロック式錠前。
【請求項２】
前記帯体は、両端でそれぞれ互いに枢着された複数のプレートを含むことを特徴とする請求項１に記載のダイヤルロック式錠前。
【考案の詳細な説明】
【技術分野】
【０００１】
本考案は、ダイヤルロック式錠前に関し、特に、施錠する際、錠本体を任意の方向で帯体に接続させて施錠することができるダイヤルロック式錠前に関する。
【背景技術】
【０００２】
時代及び社会の変遷に伴い、様々な犯罪が発生しており、犯罪率が徐々に高くなってきている。特に、窃盗事件の発生率が高くなってきており、一般市民は、自らの財産を守るために様々な錠前を利用して自らの財産が盗まれることを防いでいる。市販されている錠前には様々なものがあり、異なる物に応じて使用することができるように、各錠前の特性はそれぞれ異なる。
【０００３】
錠前のなかでも一般のケーブル式、チェーン式の錠前は、錠本体がワイヤー、チェーンの一端に接続され、被施錠物にワイヤー又はチェーンを通した後、錠本体にワイヤー又はチェーンの他端を接続し、被施錠物を施錠して使用する。
【０００４】
上述のワイヤー式及びチェーン式のロックは、被施錠物を施錠することができるが、実際に使用すると分かるように、このような構造のワイヤー又はチェーンの他端を錠本体に接続して施錠する際、単一方向でしか施錠できなかった。そのため、任意の方向で調整して施錠することができず、施錠可能な方向が限定されていた。そのため、利便性が低く、その全体構造には改善が求められていた。
【考案の概要】
【考案が解決しようとする課題】
【０００５】
本考案の目的は、施錠する際、錠本体を任意の方向で帯体と接続して施錠することができるため実用的なダイヤルロック式錠前を提供することにある。
【課題を解決するための手段】
【０００６】
上記課題を解決するために、本考案の第１の形態によれば、錠本体及び帯体を備えたダイヤルロック式錠前であって、前記錠本体は、前記帯体の第１の端部に枢着された第１の端部と、シリンダが設けられた第２の端部と、を有し、前記シリンダの最も内側には、挿入係合セクションが設けられ、前記挿入係合セクションの外側には、前記挿入係合セクションより大きな直径を有する挟持セクションが設けられ、前記挟持セクションの外側には、前記挟持セクションより大きな直径を有する係止セクションが設けられ、前記帯体は、前記錠本体の前記第１の端部に枢着された第１の端部と、前記錠本体の前記シリンダに対応する外嵌部が設けられた第２の端部と、を有し、前記外嵌部は、前記シリンダの前記挿入係合セクションに対応して設けられた隙間を外縁に有し、前記シリンダの前記挟持セクションに対応し、前記隙間と連通する挟持孔が内側に設けられていることを特徴とするダイヤルロック式錠前が提供される。
【０００７】
また、前記帯体は、両端でそれぞれ互いに枢着された複数のプレートを含むことが好ましい。
【考案の効果】
【０００８】
本考案のダイヤルロック式錠前は、施錠する際、錠本体を任意の方向で帯体と接続して施錠することができるため実用的である。
【図面の簡単な説明】
【０００９】
【図１】本考案の一実施形態によるダイヤルロック式錠前を示す斜視図である。
【図２】本考案の一実施形態によるダイヤルロック式錠前を示す正面図である。
【図３】本考案の一実施形態によるダイヤルロック式錠前を使用しているときの状態を示す正面図である。
【図４】本考案の一実施形態によるダイヤルロック式錠前を使用しているときの状態を示す断面図である。
【図５】本考案の一実施形態によるダイヤルロック式錠前を収納するときの状態を示す斜視図である。
【考案を実施するための形態】
【００１０】
図１及び図２を参照する。図１及び図２に示すように、本考案の一実施形態によるダイヤルロック式錠前は、少なくとも錠本体１及び帯体２から構成される。
【００１１】
錠本体１は、帯体２の第１の端部に枢着された第１の端部と、シリンダ１１が設けられた第２の端部と、を有する。シリンダ１１の最も内側には、挿入係合セクション１１１が設けられている。挿入係合セクション１１１の外側には、挿入係合セクション１１１より大きな直径を有する挟持セクション１１２が設けられている。挟持セクション１１２の外側には、挟持セクション１１２より大きな直径を有する係止セクション１１３が設けられている。
【００１２】
帯体２は、両端がそれぞれ互いに枢着された複数のプレート２１から構成され、錠本体１の第１の端部に枢着された第１の端部と、錠本体１のシリンダ１１に対応する外嵌部２２が設けられた第２の端部と、を有する。外嵌部２２は、シリンダ１１の挿入係合セクション１１１に対応して設けられた隙間２２１を有し、シリンダ１１の挟持セクション１１２に対応し、隙間２２１と連通する挟持孔２２２が内側に設けられている。
【００１３】
図３及び図４を参照する。図３及び図４に示すように、本考案の一実施形態によるダイヤルロック式錠前は、使用する際、被施錠物に帯体２を通し、帯体２の外嵌部２２の隙間２２１に、錠本体１のシリンダ１１の挿入係合セクション１１１を任意の方向で挿入して係合させることができる。挿入係合セクション１１１を外嵌部２２の挟持孔２２２内に挿入して係合させてから、錠本体１側へシリンダ１１を押圧し、錠本体１内へ挿入係合セクション１１１を移動させて施錠を行い、挿入係合セクション１１１の外側の挟持セクション１１２を移動させて外嵌部２２の挟持孔２２２内で挟持し、挟持セクション１１２の外側に設けた係止セクション１１３を利用して、外嵌部２２の外側へ係止し、シリンダ１１の挟持セクション１１２の直径が外嵌部２２の隙間２２１より大きいため、外嵌部２２からシリンダ１１が外れることを防いで被施錠物を施錠する。
【００１４】
図５を参照する。図５に示すように、本考案の一実施形態によるダイヤルロック式錠前は、使用しない場合、両端が互いに枢着された複数のプレート２１により帯体２が構成され、帯体２の各プレート２１を畳んで重ねるとともに、帯体２の外嵌部２２と錠本体１のシリンダ１１とを接続して体積を小さくすることができる。そのため使用しないときは、便利に収納することができる。
【００１５】
上述したことから分かるように、本考案のダイヤルロック式錠前は、従来の錠前と異なり、施錠する際、帯体を錠本体に接続させることができるため、利便性が高い。
【００１６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１      錠本体
２      帯体
１１    シリンダ
２１    プレート
２２    外嵌部
１１１  挿入係合セクション
１１２  挟持セクション
１１３  係止セクション
２２１  隙間
２２２  挟持孔
【図１】
0003174046.tif 000003
【図２】
0003174046.tif 000004
【図３】
0003174046.tif 000005
【図４】
0003174046.tif 000006
【図５】
0003174046.tif 000007